(57)【要約】【課題】手本通りに手書きすることをより効果的に支援する。【解決手段】携帯端末２０は、記憶部２１、撮影部２２、画像処理部２３、及び表記部２４からなる。記憶部２１は、手本となる手本画像を記憶する。撮影部２２は、手書き文字または手書き絵を書いているユーザの手元を手書き画像として撮影する。画像処理部２３は、手本画像と撮影された手書き画像とを重ねる。表示部１８は、画像処理部２３によって重ねられた手本画像と手書き画像とを表示する。【選択図】図５
2013182211.tif 000002
【特許請求の範囲】
【請求項１】
手本となる手本画像を記憶する記憶部と、
手書き文字または手書き絵を手書き画像として撮影する撮影部と、
前記記憶部に記憶されている前記手本画像と前記撮影部により撮影された前記手書き画像とを重ねる画像処理部と、
前記画像処理部により重ねられた、前記手本画像と前記手書き画像とを表示する表示部と
を備えることを特徴とする携帯端末。
【請求項２】
前記画像処理部は、
前記手書き画像を前記手本画像に重ねる際に、双方のずれが所定の閾値以上であるか否かを判定する判定部と、
前記判定部により双方のずれが所定の閾値以上であると判定された場合に、双方のずれが所定の閾値より小さくなるように、前記手本画像または／及び前記手書き画像の位置、大きさ、歪みを補正する補正部と
を備えることを特徴とする請求項１に記載の端末装置。
【請求項３】
前記画像処理部は、
前記手本画像を透過色に変更する色変更部を更に備えることを特徴とする請求項１または２に記載の端末装置。
【請求項４】
前記手本の画像をネットワーク上から受信し、前記記憶部に保存する通信部を更に備えることを特徴とする請求項１から３のいずれかに記載の携帯端末。
【請求項５】
前記撮影部により撮影された手書き画像を前記手本の画像として前記記憶部に保存する手本登録部を更に備えることを特徴とする請求項１から４のいずれかに記載の携帯端末。
【請求項６】
前記記憶部に保存されている複数の手本画像の中からいずれか１つの手本画像を選択する選択部を更に備えることを特徴とする請求項１から５のいずれかにに記載の端末装置。
【請求項７】
手本となる手本画像を記憶部に記憶するステップと、
撮像部により手書き文字または手書き絵を手書き画像として撮影するステップと、
前記記憶部に記憶されている前記手本画像と前記撮影部により撮影された前記手書き画像とを重ねるステップと、
重ねられた前記手本画像と前記手書き画像とを表示部に表示するステップと
を含むことを特徴とする手書き支援方法。
【請求項８】
携帯端末のコンピュータに、
手本となる手本画像を記憶部に記憶する記憶機能、
撮像部により手書き文字または手書き絵を手書き画像として撮影する撮影機能、
前記記憶部に記憶されている前記手本画像と前記撮影部により撮影された前記手書き画像とを重ねる画像処理機能、
前記画像処理機能により重ねられた、前記手本画像と前記手書き画像とを表示部に表示する表示機能
を実行させることを特徴とするプログラム。
【発明の詳細な説明】
【技術分野】
【０００１】
本発明は、紙などに手書きで文字を書く際に、手本通りに文字を書くことを支援する携帯端末、手書き支援方法、及びプログラムに関する。
【背景技術】
【０００２】
手本を見ながら、手本通りに手書きする場合、手本となる文字を印刷したものを見ながら書くという方法がある。しかしながら、文字を書く際に目線を手本から手元へと移動させる必要があるため、手本通りに書くことは難しい。他の方法としては、手本を印刷したものを紙の下に置き、トレースするという方法もあるが、透過性のある素材へ書く場合にしか適用することができない。また、いずれの場合も、手本を印刷しておく手間が生じてしまう。そこで、手本通りに文字を手書きすることを支援する手段が望まれる。
【０００３】
特許文献１には、撮像装置で机上の複数の紙を撮影し、該複数の紙の各々の位置及び姿勢を認識し、該それぞれの紙の位置及び姿勢に基づいて、手書き入力領域及び画像投影領域を特定し、指定された紙において特定された手書き入力領域に含まれる画像を、画像投影装置によって、他の紙における特定された画像投影領域へ投影画する技術が提案されている。
【０００４】
また、特許文献２には、様々な物品を撮影した撮影画像上に、ユーザから入力された実空間上での長さを基準寸法として物品の寸法を撮影画像に重ねて表示する技術が提案されている。
【０００５】
また、特許文献３には、手本となる手書き文字を表示装置に表示するとともに、デジタイザから入力された手書き文字の大きさや位置を、手本文字の大きさや位置に正規化し、手書き文字を手本文字と並べて、あるいは重ね合わせて表示装置に表示する技術が提案されている。
【０００６】
また、特許文献４には、パターン照合装置において、紙面上の文字や図形等のパターンと基準となる記憶パターンとを重ね合わせるように位置合わせを行った後、所定の時間ごとに交互に表示することで双方の相違部分を発見しやすくする技術が提案されている。
【先行技術文献】
【特許文献】
【０００７】
【特許文献１】特開２００６−２０２０１６号公報
【特許文献２】特開２００８−２２４４８４号公報
【特許文献３】特開昭６２−２７９３８７号公報
【特許文献４】特公昭５９−０２２２６８号
【発明の概要】
【発明が解決しようとする課題】
【０００８】
しかしながら、上述した特許文献１、２、４では、手書き入力された文字や図形を取り込んで表示したり、入力されたデータを撮影画像に重ねて表示したりする技術が開示されているが、コミュニケーションや、計測対象物の寸法表示、文字や図形のパターン照合などであり、手本通りに手書きすることを支援することには適さないという問題がある。
【０００９】
また、上述した特許文献３では、手本となる手書き文字と、デジタイザから入力された手書き文字とを並べて、あるいは重ね合わせて表示装置に表示する点で、手本通りに手書きすることを支援することが可能となっている。しかしながら、特許文献３では、デジタイザで手書き文字を入力するため、筆圧やペンの動きが一般的な「手書き」とは異なる。
【００１０】
また、表示装置には、デジタイザから入力された文字が手書き文字として表示されるが、表示されている手書き文字とデジタイザ上に書いている手書き文字との対応関係（位置、大きさなど）を認識するのが難しい。ゆえに、上述した特許文献３においても、効果的に手書きを支援することができないという問題がある。
【００１１】
そこで本発明は、手本通りに手書きすることをより効果的に支援することができる携帯端末、手書き支援方法、及びプログラムを提供することを目的とする。
【課題を解決するための手段】
【００１２】
本発明の携帯端末は、手本となる手本画像を記憶する記憶部と、手書き文字または手書き絵を手書き画像として撮影する撮影部と、前記記憶部に記憶されている前記手本画像と前記撮影部により撮影された前記手書き画像とを重ねる画像処理部と、前記画像処理部により重ねられた、前記手本画像と前記手書き画像とを表示する表示部とを備えることを特徴とする携帯端末である。
【００１３】
本発明の手書き支援方法は、手本となる手本画像を記憶部に記憶するステップと、撮像部により手書き文字または手書き絵を手書き画像として撮影するステップと、前記記憶部に記憶されている前記手本画像と前記撮影部により撮影された前記手書き画像とを重ねるステップと、重ねられた前記手本画像と前記手書き画像とを表示部に表示するステップとを含むことを特徴とする手書き支援方法である。
【００１４】
本発明のプログラムは、携帯端末のコンピュータに、手本となる手本画像を記憶部に記憶する記憶機能、撮像部により手書き文字または手書き絵を手書き画像として撮影する撮影機能、前記記憶部に記憶されている前記手本画像と前記撮影部により撮影された前記手書き画像とを重ねる画像処理機能、前記画像処理機能により重ねられた、前記手本画像と前記手書き画像とを表示部に表示する表示機能を実行させることを特徴とするプログラムである。
【発明の効果】
【００１５】
この発明によれば、手本通りに手書きすることをより効果的に支援することができる。
【図面の簡単な説明】
【００１６】
【図１】本発明の第１実施形態による携帯端末１０の構成を示すブロック図である。
【図２】本第１実施形態による携帯端末１０でユーザの手書きアシストを行う場合の様子を示す概念図である。
【図３】本第１実施形態による携帯端末１０の動作を説明するためのフローチャートである。
【図４】本第２実施形態による携帯端末１０の動作を説明するためのフローチャートである。
【図５】付記１の構成を示すブロック図である。
【発明を実施するための形態】
【００１７】
以下、本発明の実施の形態を、図面を参照して説明する。
【００１８】
Ａ．第１実施形態
図１は、本発明の第１実施形態による携帯端末１０の構成を示すブロック図である。図１において、携帯端末１０は、制御部１１、通信部１２、撮影部１３、記憶部１４、データ管理部１５、画像処理部１６、操作部１７、及び表示部１８を備えている。制御部１１は、各部の動作を制御する。通信部１２は、制御部１１の制御の下、音声通信やデータ通信を行う。特に、本第１実施形態では、有線、または無線ネットワーク経由で、手本となるガイド表示用の文字画像を受信する。
【００１９】
撮影部１３は、ズームレンズやフォーカスレンズ等からなる光学系と該光学系により結像した画像を取り込むＣＣＤなどの撮像素子と光学系や撮像素子を駆動する駆動部とからなる。該撮影部１３は、ユーザの手書き支援を行う場合には、文字を書いているユーザの手元（手書きしている文字を含む）を撮影して取り込む。また、撮影部１３は、ガイド表示用の文字画像を新規に登録する場合、撮影した画像をガイド表示用の文字画像として取り込む。
【００２０】
記憶部１４は、制御部１１の動作を制御するためのプログラムや、各種データなどを記憶する。特に、本第１実施形態では、通信部１２により受信したガイド表示ようの文字画像や、ガイド表示用の文字画像を新規に登録すべく撮影された画像などを記憶するとともに、手書き支援時には、撮影部１３により撮影された文字を書いているユーザの手元の画像（手書きしている文字を含む）を一時的に記憶する。
【００２１】
データ管理部１５は、通信部１２、撮影部１３、記憶部１４、画像処理部１６、表示部１８との間における、ガイド表示用の文字画像や、撮影部１３で撮影された画像などの伝達を制御する。特に、本第１実施形態では、データ管理部１５は、通信部１５により受信されたガイド表示用の文字画像を記憶部１４に保存する。また、データ管理部１１は、ガイド表示用の文字画像を新規に登録する場合には、撮影部１３から取り込まれたガイド表示用の画像を記憶部１４に保存する。また、データ管理部１５は、ユーザの手書き支援を行う場合には、操作部１７を介してユーザから入力された文字と選択された書体とに従って、対応するガイド表示用の文字画像を記憶部１４から読み出して画像処理部１６に供給する。
【００２２】
画像処理部１６は、ユーザの手書き支援を行う場合に、データ管理部１５から供給される手本データであるガイド表示用の文字画像と、撮影部１３により取り込まれる撮影画像、すなわち手書き画像とを重ねて表示するための画像処理を行う。より具体的には、画像処理部１６は、撮影部１３から取り込まれた文字画像の上に、データ管理部１５から供給されるガイド表示用の文字画像を透過色に変更し、互いの位置を合わせて重ね合わせる。位置合わせは、例えば、予め文字ごとに複数の特徴点を設定しておき、該複数の特徴点を互いに合わせることで位置が合ったとすればよい。
また、ガイド表示用の文字画像は、撮像領域の予め設定された部分に表示してもよい。この場合、ユーザが撮像位置を、実際に文字を書こうとしている位置に合わせればよい。また、ガイド表示用の文字の大きさは、予め設定された大きさでもよい。
【００２３】
このとき、画像処理部１６は、ガイド表示用の文字画像と、撮影部１３から取り込んだ手書き画像とを画像解析（パターンマッチングなどを用いた画像処理）し、撮影された手書き画像と、ガイド表示用の文字画像とのずれが所定の閾値より小さくなるように、ガイド表示用の文字画像の画面上の位置、大きさ、歪みの調整を行う。
【００２４】
ここで、撮影された手書き画像とガイド表示用の文字画像との「ずれ」を数量化する必要があるが、上述したように、互いの位置合わせを行った状態で、文字全体に対する、他の部分の一致しない面積比率を算出し、該一致しない面積比率を「ずれ量」としてもよい。あるいは、上述したように、互いの位置合わせを行った状態で、どうしても一致しない特徴点があった場合に、該一致しない特徴点間の距離を「ずれ量」としてもよい。
【００２５】
なお、ガイド表示用の文字画像、及び撮影された手書き画像は、各々、操作部１７を通じてユーザ操作によりその位置、大きさ、歪みなどを調整可能としてもよい。
【００２６】
操作部１７は、文字入力や、書体の設定、書体取り込み等の指示操作をユーザに行わせるためのインタフェースである。表示部１８は、画像処理部１６から供給される画像、すなわち、撮影部１３で撮影された手書き画像と透過色に変更したガイド表示用の文字画像とが重ねられた合成画像を表示する。
【００２７】
図２は、本第１実施形態による携帯端末１０でユーザの手書き支援を行う場合の様子を示す概念図である。携帯端末１０では、撮影部１３により紙に文字を書いているユーザの手元を撮影し、手書き画像として表示部１８にリアルタイムで表示する。表示部１８には、予め操作部１６から入力された文字と書体との情報から特定されたガイド表示用の文字画像を透過色に変更し、撮影部１３より取り込んだ手書き画像の上に重ねて表示される。
【００２８】
このとき、携帯端末１０では、撮影された手書き画像とガイド表示用の文字画像とを画像解析し、双方の位置、大きさ、歪みが合致するように、ガイド表示用の文字画像の位置、大きさ、歪みを随時調整するようになっている。これにより、ユーザは、表示部１８の画面上に表示されたガイド表示用の文字画像を見ながらトレースすることで、目線を大きく移動させることなく、より容易に手本通りに文字を書くことが可能となる。
【００２９】
次に、上述した第１実施形態の動作について説明する。
図３は、本第１実施形態による携帯端末１０の動作を説明するためのフローチャートである。まず、ユーザは、操作部１７から書きたい文字と書体を入力する。データ管理部１５は、操作部１７を介してユーザにより入力された文字と書体とに基づいて、通信部１５によってダウンロードして記憶部１４に保存しておいたガイド表示用の文字画像を読み出し（ステップＳａ１０）、ガイド表示用の文字画像を透過色に変更するなど、ガイド表示の準備を行う（ステップＳａ１２）。なお、ユーザにより入力された文字と書体とに対応するガイド表示用の文字画像が記憶部１４に記憶されていない場合には、その都度、通信部１５によってダウンロードするようにしてもよい。
【００３０】
次に、撮影部１３を起動させ（ステップＳａ１４）、該撮影部１３によってユーザの手元（手書き画像）を撮影する（ステップＳａ１６）。次に、画像処理部１６にてステップＳａ１２で準備したガイド表示用の文字画像を、撮影部１３で撮影された手書き画像の上に重ねて表示部１８に表示させる（ステップＳａ１８）。このとき、撮影された手書き画像、またはガイド表示用の文字画像の位置や大きさ、色などを、操作部１７を操作することによりユーザが調整するようにしてもよい。あるいは、例えば、まず、ユーザの手書き画像の位置、大きさ、歪みなどを、表示部１８の画面に入るように光学系の調整、またはデジタル処理によって調整し、その後、調整した手書き画像に合わせるように、ガイド表示用の文字画像の大きさ、位置、歪みを調整するようにしてもよい。
【００３１】
次に、画像処理部１６は、撮影された手書き画像とガイド表示用の文字画像との大きさや、位置、歪みなどを画像解析し（ステップＳａ２０）、該画像解析の結果に従って、撮影された手書き画像とガイド表示用の文字画像との間で、大きさや、位置、歪みに所定の閾値以上のずれがあるか否かを判定する（ステップＳａ２２）。
【００３２】
そして、撮影された手書き画像とガイド表示用の文字画像との間で大きさや、位置、歪みに所定の閾値以上のずれがある場合には（ステップＳａ２２のＹＥＳ）、撮影された手書き画像に合わせるように（ずれが所定の閾値より小となるように）、ガイド表示用の文字画像の位置や、大きさ、歪みを更新（調整）する（ステップＳａ２４）。これにより、例えば、ユーザが文字を書いている途中で携帯端末１０の位置が多少移動した場合などでも、ガイド表示用の文字画像を画面上で手書き画像に自動追従させることが可能となる。一方、双方に所定の閾値以上のずれがない場合には（ステップＳａ２２のＮＯ）、ガイド表示用の文字画像の更新を行わない。
【００３３】
次に、ユーザによる終了指示があるか否かを判定し（ステップＳａ２６）、終了指示がない場合には（ステップＳａ２６のＮＯ）、終了指示があるまで、上述したステップＳａ１６〜Ｓａ２４までを繰り返す。一方、終了指示があった場合には（ステップＳａ２６のＹＥＳ）、ガイド表示用の文字画像、及び手書き画像の表示を停止し（ステップＳａ２８）、撮影部１３の動作を停止する（ステップＳａ３０）。
【００３４】
上述した第１実施形態によれば、手本となるガイド表示用の文字画像と撮影された手書き画像とが同一画面上に重なって表示されるので、画面上に表示されたガイド表示用の文字画像を、ユーザが目線を移動させることなくトレースできるため、手本通りに文字を書くことができるようになる。
【００３５】
また、本第１実施形態によれば、ガイド表示用の文字画像の位置、大きさ、歪みを手動調整、または画像解析による自動調整を行うようにしたので、ガイド表示用の文字画像を撮影された手書き画像に自動追従させることができ、トレースの正確性を向上させることができる。
【００３６】
また、本第１実施形態によれば、通信部１５によってガイド表示用の文字画像を取り込むようにしたので、様々な種類の書体を容易に取り扱うことができ（新たな書体などを容易に利用可能に登録することができ）、所望する書体を手本とすることができる。
【００３７】
Ｂ．第２実施形態
次に、本発明の第２実施形態について説明する。
なお、携帯端末１０の構成は、図１と同様であるので説明を省略する。本第２実施形態は、手本であるガイド表示用の文字画像の代わりに、例えば、他人（教師、指導者、師範など）の手書き書体や、絵画、イラストなどの画像データを手本（以下、ガイド表示用の画像という）として扱うという点で異なる。
【００３８】
図４は、本第２実施形態による携帯端末１０の動作を説明するためのフローチャートである。ユーザは、操作部１７から手本とするガイド表示用の画像を選択する。手本とするガイド表示用の画像の選択は、画像のサムネイル一覧から選択したり、画像を識別する識別番号を入力したりするなどの方法がある。データ管理部１５は、操作部１７を介してユーザにより選択されたガイド表示用の画像を記憶部１４から読み出し（ステップＳｂ４０）、ガイド表示用の画像を透過色に変更するなど、ガイド表示の準備を行う（ステップＳｂ４２）。
【００３９】
次に、撮影部１３を起動させ（ステップＳｂ４４）、該撮影部１３によって撮影された手書き画像を撮影する（ステップＳｂ４６）。次に、画像処理部１３にてステップＳｂ４２で準備したガイド表示用の画像を、撮影部１３で撮影した、ユーザが書いた手書き画像の上に重ねて表示部１８に表示させる（ステップＳｂ４８）。このとき、ユーザが書いた手書き画像、またはガイド表示用の画像の位置や、大きさ、色などは、操作部１７を操作することによりユーザが調整するようにしてもよい。あるいは、例えば、まず、撮影された手書き画像の位置、大きさ、歪みなどを、表示部１８の画面に入るように光学系の調整、またはデジタル処理によって調整し、その後、調整した手書き画像に合わせるように、ガイド表示用の画像の大きさ、位置、歪みを調整するようにしてもよい。
【００４０】
次に、画像処理部１６は、撮影された手書き画像とガイド表示用の画像との大きさや、位置、歪みなどを画像解析し（ステップＳｂ５０）、上記画像解析の結果に従って、撮影された手書き画像とガイド表示用の画像との間で、大きさや、位置、歪みに所定の閾値以上のずれがあるか否かを判定する（ステップＳｂ５２）。
【００４１】
そして、撮影された手書き画像とガイド表示用の画像との間で大きさや、位置、歪みに所定の閾値以上のずれがある場合には（ステップＳｂ５２のＹＥＳ）、撮影された手書き画像に合わせるように（ずれが所定の閾値より小となるように）、ガイド表示用の画像の位置、大きさ、歪みを更新（調整）する（ステップＳｂ５４）。これにより、例えば、ユーザが文字や絵画、イラストなどを書いている途中で携帯端末１０の位置が多少移動した場合などでも、ガイド表示用の画像を画面上で手書き画像に自動追従させることが可能となる。一方、双方に所定の閾値以上のずれがない場合には（ステップＳｂ５２のＮＯ）、ガイド表示用の画像の更新を行わない。
【００４２】
次に、ユーザによる終了指示があるか否かを判定し（ステップＳｂ５６）、終了指示がない場合には（ステップＳｂ５６のＮＯ）、終了指示があるまで、ステップＳｂ４６〜Ｓｂ５４までを繰り返す。一方、終了指示があった場合には（ステップＳｂ５６のＹＥＳ）、ガイド表示用の画像、及び手書き画像の表示を停止し（ステップＳｂ５８）、撮影部１３の動作を停止する（ステップＳｂ６０）。
【００４３】
上述した第２実施形態によれば、予め用意された書体の文字だけでなく、撮影部１２で撮影した画像を手本データとして扱えるため、他人（教師、指導者、師範など）の手書き書体や、絵画、イラストなどを手本とすることができる。
【００４４】
なお、上述した第１、第２実施形態においては、ガイド表示用の文字画像（または画像）を透過色に変更するようにしたが、例えば、絵画や、イラスト等の場合には、手本の色使いまでも模写すべく、手本の色をそのまま表示したり、同系色の薄い色などに変更して表示したりするようにしてもよい。あるいは、見やすさなどを考慮し、ユーザの指示操作に応じて、任意色に変更するようにしてもよい。
【００４５】
また、上述した第１、第２実施形態において、書き始めは、ユーザが手書きした線などがない、もしくは少ないため、ガイド表示用の文字画像（または画像）に一致する部分が少なく、パターンマッチングなどの画像解析では、ガイド表示用の文字画像（または画像）の表示位置を特定できない場合もある。このような場合には、例えば、漢字などのように筆順があるような場合、手書きの最初の線と漢字の画とを対応付けて判定することで、ガイド表示用の文字画像の表示位置や、大きさ、歪みを特定するようにしてもよい。また、絵画などの場合には、ガイド表示用の画像を適当に分割して特徴情報を求め、手書き画像の特徴と近いところが一致するようにガイド表示用の画像の表示位置や、大きさ
歪みを特定するようにしてもよい。
【００４６】
また、上述した第１、第２実施形態において、画像の歪みについては、例えば、撮影画像の画面上の位置や距離（距離はカメラの焦点合わせや画像処理から求める）に基づいて変形状態を検出し（遠いほうが小さくなるなど）、その変形状態に合わせてガイド表示用の文字画像（または画像）を変形するようにしてもよい。特に、携帯端末１０の傾きによる画像の歪みに対しては、撮影部１３の焦点検出機能を用いて（最低３点のフォーカス位置を検出すれば、傾きは算出できる）、撮影部１３の光軸に対する、ユーザが手書きを行おうとしている面の傾きを検出し、ガイド表示用の文字画像（または画像）を補正して表示するようにしてもよい。
【００４７】
あるいは、加速度センサなどの検出結果に基づいて携帯端末１０の傾きを検出し、該傾きに基づく撮影画像の変形状態を求め、ガイド表示用の文字画像（または画像）を撮影画像の変形状態に合わせて変形するようにしてもよい。より具体的には、携帯端末１０（撮影部１３）の撮像方向を検知するための、姿勢センサ（傾斜計として使える）、例えば、重力加速度を検知する加速度センサを備え、ユーザが手書きを行おうとしている面が地面に水平として、携帯端末１０の姿勢とユーザが手書きを行う面との傾きに基づいて、ガイド表示用の文字画像（または画像）を補正して表示するようにしてもよい。もちろん、ユーザが手書きを行おうとしている面の傾きが予め分かっている場合には、この傾きと携帯端末１０の姿勢との差に基づいて、ガイド表示用の文字画像（または画像）を補正して表示すればよい。
【００４８】
なお、本発明の第１、第２実施形態は、携帯端末１０として、携帯電話・スマートフォンに限らず、デジタルカメラや、カメラと表示装置とが一体になった他の装置（例えば、ゲーム機、タブレットＰＣ、ノートＰＣ）には、特別な装置を追加することなく、幅広く適用できる。このように、本発明によれば、ペン習字、レタリングデザインといった、文字を書く用途に適用可能である。また、絵画、イラストの模写といった用途にも適用可能である。
【００４９】
以下、本発明の特徴を付記する。
上記の実施形態の一部又は全部は、以下の付記のようにも記載されうるが、以下には限られない。
（付記１）
図５は、付記１の構成図である。この図に示すように、付記１記載の発明は、
手本となる手本画像を記憶する記憶部２１と、
手書き文字または手書き絵を手書き画像として撮影する撮影部２２と、
前記記憶部２１に記憶されている前記手本画像と前記撮影部２２により撮影された前記手書き画像とを重ねる画像処理部２３と、
前記画像処理部２３により重ねられた、前記手本画像と前記手書き画像とを表示する表示部２４と
を備えることを特徴とする携帯端末２０である。
【００５０】
（付記２）
前記画像処理部は、
前記手書き画像を前記手本画像に重ねる際に、双方のずれが所定の閾値以上であるか否かを判定する判定部と、
前記判定部により双方のずれが所定の閾値以上であると判定された場合に、双方のずれが所定の閾値より小さくなるように、前記手本画像または／及び前記手書き画像の位置、大きさ、歪みを補正する補正部と
を備えることを特徴とする付記１に記載の端末装置である。
【００５１】
（付記３）
前記画像処理部は、
前記手本画像を透過色に変更する色変更部を更に備えることを特徴とする付記１または２に記載の端末装置である。
【００５２】
（付記４）
前記手本の画像をネットワーク上から受信し、前記記憶部に保存する通信部を更に備えることを特徴とする付記１から３のいずれかに記載の携帯端末である。
【００５３】
（付記５）
前記撮影部により撮影された手書き画像を前記手本の画像として前記記憶部に保存する手本登録部を更に備えることを特徴とする付記１から４のいずれかに記載の携帯端末である。
【００５４】
（付記６）
前記記憶部に保存されている複数の手本画像の中からいずれか１つの手本画像を選択する選択部を更に備えることを特徴とする付記１から５のいずれかにに記載の端末装置である。
【００５５】
（付記７）
手本となる手本画像を記憶部に記憶するステップと、
撮像部により手書き文字または手書き絵を手書き画像として撮影するステップと、
前記記憶部に記憶されている前記手本画像と前記撮影部により撮影された前記手書き画像とを重ねるステップと、
重ねられた前記手本画像と前記手書き画像とを表示部に表示するステップと
を含むことを特徴とする手書き支援方法である。
【００５６】
（付記８）
携帯端末のコンピュータに、
手本となる手本画像を記憶部に記憶する記憶機能、
撮像部により手書き文字または手書き絵を手書き画像として撮影する撮影機能、
前記記憶部に記憶されている前記手本画像と前記撮影部により撮影された前記手書き画像とを重ねる画像処理機能、
前記画像処理機能により重ねられた、前記手本画像と前記手書き画像とを表示部に表示する表示機能
を実行させることを特徴とするプログラムである。
【符号の説明】
【００５７】
１０、２０  携帯端末
１１  制御部
１２  通信部
１３、２２  撮影部
１４、２１  記憶部
１５  データ管理部
１６、２３  画像処理部
１７  操作部
１８、２４  表示部
【図１】
2013182211.tif 000003
【図２】
2013182211.tif 000004
【図３】
2013182211.tif 000005
【図４】
2013182211.tif 000006
【図５】
2013182211.tif 000007